(57)【特許請求の範囲】
【請求項１】
着座乗員の体重を下方から支えるシートクッションと、着座乗員の上体をその背面側から支えるシートバックとを備える車両用シートであって、
前記シートバックは、シートバックの骨格を成すバックフレームを含むシートバック固定部と、該シートバック固定部の乗員着座面側で乗員の上体を支えるシートバック可動部とを備え、
前記シートバック固定部は、着座乗員の上体の両側を支持するように左右両側にサイドサポート部を備え、且つ前記左右両側のサイドサポート部に挟まれる領域に前記シートバック可動部を収容する凹部を備え、
前記シートバック可動部は、前記凹部に収容された状態で、前記凹部を形成する側壁との間に隙間を持って形成されており、前記シートバック固定部の上部の中央部を中心として、着座乗員の両側に対応する左右方向に回転自在に前記シートバック固定部に支持されており、シートバック固定部の下部に対して前記左右方向に摺動自在に取り付けられており、しかも前記左右方向への回転範囲が前記シートバック固定部の左右両側のサイドサポート部より内側となるように規制する規制手段を備えることを特徴とする車両用シート。
【請求項２】
請求項１において、
前記シートバック固定部のバックフレームの上部にはアッパパネルが結合されており、このアッパパネルに対して前記シートバック可動部の上部が回転自在に支持されていることを特徴とする車両用シート。
【発明の詳細な説明】
【技術分野】
【０００１】
本発明は、着座乗員の体重を下方から支えるシートクッションと、着座乗員の上体をその背面側から支えるシートバックとを備える車両用シートに関する。
【背景技術】
【０００２】
車両を旋回させるとき、ハンドル操作を行う運転者は、ハンドルを左右のどちらかへ操作するため、ハンドル操作に伴って上体が車両旋回方向内側へ傾く。図６は、車両運転者が車両を左側へ旋回させるべく左側へハンドル操作した際の運転者の上体の動きを運転者の背面からの視点で示している。ここでは、運転者の肩のラインＰＳが破線から実線の位置へと左側が下がり、同時に、腰のラインＰＬが破線から実線の位置へと左側が上がって、上体の曲げが生じることを示している。即ち、左側へのハンドル操作に伴って運転者の上体（図６の上側の三角形で示す）が腰部を中心に左側に傾いて、背面視で「く」の字状になる。図６において、ＰＨは運転者の頭の位置を示している。また、運転者以外の乗員は、車両の旋回に伴う遠心力に対抗するため、やはり車両旋回方向に上体を傾けることが経験的に知られている。このとき、運転者も運転者以外の乗員も、上体はシートバックに支持されているため、上体を上記のように傾けるためには、上体がシートバックから離れるように、上体をシートバックに凭れた状態から起して、上体とシートバックとの摩擦を小さくするか、摩擦力に抗して上体を傾けることになる。そのため、乗員は、上体を左右方向に傾ける動作をスムースに行うことができない問題がある。
この場合の課題とは課題が異なるが、車両旋回時の乗員の姿勢を安定させるために旋回時の遠心力に対抗するようにシートバック及びシートクッションを車両の進行方向に対して車両ロール方向に回転させるものが開発されている（下記特許文献１）。
【先行技術文献】
【特許文献】
【０００３】
【特許文献１】特開昭５７−１２６７３４号公報
【発明の概要】
【発明が解決しようとする課題】
【０００４】
上記特許文献１のシートは、車両旋回時の対策をしたものではあるが、車両旋回時に乗員が左右方向に上体を傾ける動作をスムースに行うとの課題を解決することはできない。なぜなら、特許文献１のシートは、車両旋回時の遠心力を受けてシートが回転されるものであるが、車両旋回時に乗員が左右方向に上体を傾ける動作は遠心力を受ける前に行われるものであるので、遠心力を受けてからシートが回転するものでは、車両旋回時に乗員が上体を傾ける動作をスムースに行うとの課題を解決することはできない。
このような問題に鑑み本発明の課題は、車両旋回時に乗員が上体を左右方向に傾ける際の乗員の上体の動きを受けてシートバックを回転動作させることにより、車両旋回時に乗員が上体を左右方向に傾ける動作をスムースに行うことができるようにすることにある。
【課題を解決するための手段】
【０００５】
本発明の第１発明は、着座乗員の体重を下方から支えるシートクッションと、着座乗員の上体をその背面側から支えるシートバックとを備える車両用シートであって、前記シートバックは、シートバックの骨格を成すバックフレームを含むシートバック固定部と、該シートバック固定部の乗員着座面側で乗員の上体を支えるシートバック可動部とを備え、該シートバック可動部は、その上部を中心として、着座乗員の両側に対応する左右方向に回転自在に前記シートバック固定部に支持されていることを特徴とする。
第１発明によれば、車両旋回時に乗員が上体を背面視で「く」の字状となるように左右方向に傾ける際に、乗員の上体の動きに応じてシートバック可動部がシートバック固定部に対して回転する。車両旋回時に乗員が上体を背面視で「く」の字状となるように左右方向に傾けるときは、乗員の背中の下部がシートバック可動部の下部に支持されていることが多いため、乗員の上体の動きに応じてシートバック可動部がシートバック固定部に対して回転することになる。そのため、乗員は、従来のように、上体をシートから離れるように動かすことなく、上体とシートバックとの間の摩擦を小さくすることができ、乗員が上体を左右方向に傾ける動作をスムースに行わせることができる。
また、車両用シートに乗員が長時間同じ姿勢で着座していると、乗員の疲労度合は高まるが、第１発明のシートでは、乗員が上体を背面視で「く」の字状となるように左右方向に傾ける動作を行えば、シートバック可動部は、その上部を中心として追随して回転する。そのため、乗員は、着座姿勢のまま体を左右に揺動させ易くなり、体内の血行を促進して疲労度合が高まるのを抑制することができる。
【０００６】
本発明の第２発明は、上記第１発明において、前記シートバック固定部は、着座乗員の上体の両側を支持するように左右両側にサイドサポート部を備え、前記シートバック可動部は、シートバック固定部の上部の中央部を中心として、前記左右方向に回転自在に取り付けられ、シートバック固定部の下部に対して前記左右方向に摺動自在に取り付けられ、しかも前記左右方向への回転範囲が前記シートバック固定部の左右両側のサイドサポート部より内側となるように規制する規制手段を備えることを特徴とする。
第２発明によれば、シートバックの乗員着座面側の中央部はシートバック可動部により回転するが、その回転範囲は左右両側のサイドサポート部より内側に規制され、着座乗員の左右両側はシートバック固定部のサイドサポート部により支持される。そのため、乗員が上体を背面視で「く」の字状となるように左右方向に傾ける動作をスムースに行わせることができると共に、乗員の上体の支持が不安定になるのを抑制することができる。
【図面の簡単な説明】
【０００７】
【図１】本発明の第１実施形態である車両用シートの斜視図である。
【図２】上記第１実施形態におけるシートバックの正面図である。
【図３】上記第１実施形態におけるシートバックの骨格を示す分解斜視図である。
【図４】図３のＩＶ−ＩＶ線断面図である。
【図５】本発明の第２実施形態を示す図４と同様の断面図である。
【図６】車両運転者が車両を左側へ旋回させるべくハンドル操作した際の運転者の上体の動きを説明する模式図である。
【発明を実施するための形態】
【０００８】
図１〜４は、本発明の第１実施形態を示す。この実施形態は、一人掛けの車両用シートに本発明を適用したものである。各図中、矢印により車両用シートの各方向を示している。以下の説明において、方向に関する記述は、この方向を基準として行うものとする。
車両用シート（以下、単にシートという）１０は、着座乗員の体重を下方から支えるシートクッション２００と、着座乗員の上体をその背面側から支えるシートバック１００とを備える。シートクッション２００は、スライドレール４００を介して車両フロアに固定され、シート１０の車両前後方向位置を任意に調整可能とされている。また、シートバック１００の上部にはヘッドレスト３００が固定されている。更に、シートバック１００はシートクッション２００に対してリクライニング角度を任意に調整可能とされており、両者間のヒンジ部には図示しないリクライナーが設けられている。リクライナーにはリクライニングレバー５１０が連結されており、このリクライニングレバー５１０の操作によってリクライナーのロックが解除されてシートバック１００のリクライニング角度が調整可能とされている。リクライナーはシールド５２０によって被われている。以上説明したシート１０の構成は公知のものである。
【０００９】
本発明の特徴として、シートバック１００は、シートバック固定部１１０とシートバック可動部１２０とから成り、シートバック可動部１２０は、シートバック固定部１１０の正面側の凹部１１０ｂの中で、その上部１２０ｃを中心として、着座乗員の両側に対応する左右方向に回転自在に支持されている。ここで、シートバック可動部１２０は、シートバック固定部１１０の凹部１１０ｂの内壁に対して上部中央１２０ｄと左右上部１２０ｅのみで当接し、その他の部位ではシートバック固定部１１０の凹部１１０ｂの内壁に対して隙間があるように形成されている。即ち、シートバック固定部１１０は、前方からの正面視で門型に形成され、シートバック可動部１２０は、上記正面視で、全体として上方より下方が狭まったつぼ型に形成されている。図２には、シートバック可動部１２０のシートバック固定部１１０の凹部１１０ｂ内での回転移動の様子を示している。ここでは、シートバック可動部１２０が中央位置にある状態を実線で、また、右側へ回転した状態を仮想線１２０ａで、更に、左側へ回転した状態を仮想線１２０ｂで、それぞれ示している。
シートバック可動部１２０が仮想線１２０ａで示す位置と、仮想線１２０ｂで示す位置にあるときには、シートバック可動部１２０の側部１２０ｆはシートバック固定部１１０の側壁に当接し、それ以上の回転移動が規制されている。即ち、本発明の規制手段は、シートバック可動部１２０の側部１２０ｆとシートバック固定部１１０の内側壁１１０ｃとが当接する構成によって実現されている。また、シートバック可動部１２０の側部１２０ｆが当接するシートバック固定部１１０の内側壁１１０ｃは、サイドサポート部１１６によって構成されている。
【００１０】
図３には、シートバック１００の骨格を示している。シートバック１００におけるシートバック固定部１１０の骨格は、一般的なシートバックの骨格と略同じであり、左右一対のサイドフレーム１１１の上部に跨ってアッパパイプ１１２が溶接にて一体に結合されて構成されている。また、アッパパイプ１１２の下部には、アッパパネル１１４が溶接にて一体に結合され、サイドフレーム１１１の後部下方には、ロアパネル１１５が溶接、若しくはボルト締めにて一体に結合されている。サイドフレーム１１１の下端部には、コネクティングパイプ１１３が設けられ、左右のリクライナー（不図示）を連結させるために用いられている。以上のシートバック固定部１１０の骨格は、本発明のバックフレーム１１０ａを構成している。
【００１１】
一方、シートバック可動部１２０の骨格は、乗員の上体をその背面側から支える板面を備えた支持板１２１から成る。支持板１２１の上部中央には貫通孔１２１ａが穿設され、貫通孔１２１ａには、上記アッパパネル１１４の中央部に穿設された貫通孔１１４ａと共に段付ボルト１２４ａが貫通されて、段付ボルト１２４ａを中心としてバックフレーム１１０ａに対して支持板１２１が左右方向に回転自在とされている。段付ボルト１２４ａの位置がシートバック可動部１２０の上部中央１２０ｄに対応している。図４に示されるように、段付ボルト１２４ａの先端にはナット１２４ｄが螺合され、支持板１２１がアッパパネル１１４に結合されている。ここで、支持板１２１とアッパパネル１１４との間には、スラストベアリング１２４ｂと位置決めカラー１２４ｃとが挿入配置されている。そのため、支持板１２１とアッパパネル１１４との相対回転時の摩擦抵抗が低減されると共に、支持板１２１のヨー剛性が高められている。また、支持板１２１の貫通孔１２１ａと段付ボルト１２４ａとの間にはブッシュ１２４ｅが配置されており、支持板１２１が段付ボルト１２４ａに対して回転するときの摩擦抵抗を低減するようにしている。
【００１２】
支持板１２１の下部中央にはガイド孔１２１ｂが穿設され、このガイド孔１２１ｂは、支持板１２１が貫通孔１２１ａを貫通する段付ボルト１２４ａを中心に回転する際の回転軌跡に沿う円弧状に形成されている。ガイド孔１２１ｂには、ロアパネル１１５の中央部に穿設された貫通孔１１５ａと共に段付ボルト１２５ａが貫通されて、段付ボルト１２５ａの先端にはナット１２５ｂが螺合されて、支持板１２１がロアパネル１１５に結合されている。従って、支持板１２１が段付ボルト１２４ａを中心に回転されるとき、ガイド孔１２１ｂに案内されて、支持板１２１は、バックフレーム１１０ａの左右のサイドフレーム１１１の間で回転移動される。支持板１２１が左右方向に回転されて左右のサイドフレーム１１１に接近する位置に達すると、段付ボルト１２５ａがガイド孔１２１ｂの端部に当接して支持板１２１の回転を規制している。即ち、段付ボルト１２５ａとガイド孔１２１ｂとの組合せによっても本発明の規制手段が構成されている。
【００１３】
バックフレーム１１０ａには、公知のようにバックパッド及びシートカバーが被せらて、シートバック固定部１１０が形成される。そのとき、上述のようにシートバック１００の前面にはシートバック可動部１２０が配置されるための凹部１１０ｂが形成される。また、支持板１２１の前面側にも、シートバック固定部１１０と同様に、パッド１２２及びシートカバー１２３が被せられてシートバック可動部１２０が形成される。
【００１４】
以上の実施形態によれば、車両旋回時に乗員が上体を背面視で「く」の字状となるように左右方向に傾ける際に、乗員の上体の動きに応じてシートバック可動部１２０がシートバック固定部１１０に対して回転する。車両旋回時に乗員が上体を背面視で「く」の字状となるように左右方向に傾けるときは、乗員の背中の下部がシートバック可動部１２０の下部に支持されていることが多いため、乗員の上体の動きに応じてシートバック可動部１２０がシートバック固定部１１０に対して回転することになる。そのため、乗員は、従来のように、上体をシートバック１００から離れるように動かすことなく、上体とシートバック１００との間の摩擦を小さくすることができ、乗員が上体を左右方向に傾ける動作をスムースに行わせることができる。
また、シート１０に乗員が長時間同じ姿勢で着座していると、乗員の疲労度合は高まるが、乗員が上体を背面視で「く」の字状となるように左右方向に傾ける動作を行えば、シートバック可動部１２０は、その上部中央１２０ｄを中心として追随して回転する。そのため、乗員は、着座姿勢のまま体を左右に揺動させ易くなり、体内の血行を促進して疲労度合が高まるのを抑制することができる。
更に、シートバック１００の乗員着座面側の中央部はシートバック可動部１２０により回転するが、その回転範囲は左右両側のサイドサポート部１１６より内側に規制され、着座乗員の左右両側はシートバック固定部１１０のサイドサポート部１１６により支持される。そのため、乗員が上体を背面視で「く」の字状となるように左右方向に傾ける動作をスムースに行わせることができると共に、乗員の上体の支持が不安定になるのを抑制することができる。
【００１５】
図５は、本発明の第２実施形態を示す。第２実施形態が上記一実施形態に対して特徴とする点は、ブッシュ１２４ｅ（図４参照）に代えてラジアルベアリング１２４ｆを用いた点である。その他の構成は、第２実施形態においても一実施形態と同一であり、再度の図示及び説明を省略する。
ブッシュ１２４ｅに代えてラジアルベアリング１２４ｆを用いた場合も、支持板１２１の貫通孔１２１ａと段付ボルト１２４ａとの間にはラジアルベアリング１２４ｆが配置されるため、支持板１２１が段付ボルト１２４ａに対して回転するときの摩擦抵抗を低減することができる。
【００１６】
以上、特定の実施形態について説明したが、本発明は、それらの外観、構成に限定されず、本発明の要旨を変更しない範囲で種々の変更、追加、削除が可能である。例えば、
１．上記実施形態では、支持板１２１を回転自在とするための回転軸をバックフレーム１１０ａ上に固定したが、この回転軸を支持板１２１上に固定しても良い。
２．上記実施形態では、ガイド孔１２１ｂを支持板１２１に設け、このガイド孔１２１ｂに貫通する段付ボルト１２５ａをバックフレーム１１０ａのロアパネル１１５に設けたが、それらを逆にして、ガイド孔１２１ｂをロアパネル１１５に設け、段付ボルト１２５ａを支持板１２１に設けても良い。また、支持板１２１上部において支持板１２１をバックフレーム１１０ａに対して回転自在に支持する結合が強固であれば、支持板１２１とロアパネル１１５との間に設けられたガイド孔１２１ｂと段付ボルト１２５ａによる結合を無くしても良い。更に、ガイド孔１２１ｂと段付ボルト１２５ａの組合せによる規制手段は、複数箇所に分散して設けても良い。例えば、上記組合せを上下に二つ設けても良いし、左右に二つ設けても良い。
３．上記実施形態では、シートバック可動部１２０がシートバック固定部１１０の凹部１１０ｂ内に収納されるものとしたが、シートバック可動部１２０はシートバック固定部１１０の前面側で重なるように配置されても良い。後者の場合、シートバック固定部１１０は、その前面側がシートバック可動部１２０によって完全に被われる構造としても良い。
４．上記実施形態では、一人掛けの車両用シートに本発明を適用したが、複数人掛けのシートに本発明を適用しても良い。
【符号の説明】
【００１７】
１０    車両用シート
１００  シートバック
１１０  シートバック固定部
１１０ａ  バックフレーム
１１０ｂ  凹部
１１０ｃ  内側壁
１１１  サイドフレーム
１１２  アッパパイプ
１１３  コネクティングパイプ
１１４  アッパパネル
１１４ａ  貫通孔
１１５  ロアパネル
１１５ａ  貫通孔
１１６  サイドサポート部
１２０  シートバック可動部
１２１  支持板
１２１ａ  貫通孔
１２１ｂ  ガイド孔（規制手段）
１２２  パッド
１２３  シートカバー
１２４ａ  段付ボルト
１２４ｂ  スラストベアリング
１２４ｃ  位置決めカラー
１２４ｄ  ナット
１２４ｅ  ブッシュ
１２４ｆ  ラジアルベアリング
１２５ａ  段付ボルト（規制手段）
１２５ｂ  ナット
２００  シートクッション
３００  ヘッドレスト
４００  スライドレール
５１０  リクライニングレバー
５２０  シールド
ＰＳ    運転者の肩
ＰＬ    運転者の腰
ＰＨ    運転者の頭
【図１】
0005855614.tif 000002
【図２】
0005855614.tif 000003
【図３】
0005855614.tif 000004
【図４】
0005855614.tif 000005
【図５】
0005855614.tif 000006
【図６】
0005855614.tif 000007